(57)【要約】  【課題】情報表示機能を備えた簡易な結束具を提供する。  【解決手段】結束具1aは、並列に配置した二本の針金2，3の長手方向中間部で針金相互の間隔を拡幅し、プラスチックフィルム4でラミネートしたもので、両端の狭幅部6を捩じり合わせて野菜などを結束することができる。拡幅部5に張られているプラスチックフィルムに文字や図形などを記載することにより、結束具1a自体で各種情報を表示することができ、従来の結束具とは異なり、結束具に表示タグなどを取付ける作業を要せず、商品に情報を表示できる。【選択図】図３
2008074462.tif 000002
【特許請求の範囲】
【請求項１】
長手方向の中間部において相互の間隔が拡幅するよう並設された二本の芯線部材と、上記二本の芯線の間に架張された膜状部材とを備え、
上記拡幅されている部位に架張された膜状部材に情報を記載して表示できるように形成されるとともに、両端側を結束対象物に巻き回した状態で結束することを特徴とする結束具。
【請求項２】
上記二本の芯線が拡幅部と狭幅部との境界で交互に交差している構造である請求項１記載の結束具。
【発明の詳細な説明】
【技術分野】
【０００１】
この発明は、棒状や線状の物品を結束するための紐状の結束具に関するものであり、特に、種々の商品情報を表示できるようにした結束具に関するものである。
【背景技術】
【０００２】
例えば、葱やセロリなどの細長い形状の野菜は、粘着テープで小売単位毎に結束して販売店の店頭に並べられることが多い。この場合、結束材として、店名或いは「新鮮野菜」などの単語が印刷された粘着テープを用いることが多いが、キャッチフレーズや生産者名、調理レシピや賞味期限など、より多くの情報を表示したいという販売者側の要望がある。
【０００３】
粘着テープによる結束方法よりも多くの情報を表示したい場合は、紐状結束具に表示タグを取付ける方法が採られている。紐状結束具は特許文献１等に記載のとおり周知のもので、細い軟鉄線やプラスチックワイヤを芯線として樹脂フィルムや紙でラミネートした紐状であり、人間の手または専用の結束機により食品などを収容した袋の口または棒状物品などに巻きつけて端部を捻り合せることによって結束対象物が結束される。紐状結束具と表示タグを組合わせて結束する場合は、事前に紐状結束具を表示タグに形成されている小穴に通して結束すれば、紐状結束具から表示タグが吊下がった状態になり、販売促進効果が期待できる。
【特許文献１】特開2000-95267号公報
【発明の開示】
【発明が解決しようとする課題】
【０００４】
結束した商品に表示タグを付ける場合、従来は表示タグの小穴に紐状結束具を通して結束しているが、結束具挿通作業に手間がかかり、作業効率が悪いという問題がある。そこで、簡単に結束できる紐状結束具自体に表示機能を持たせ、結束具に表示タグを取付ける作業を不要として生産性を向上するために解決すべき技術的課題が生じてくるのであり、本発明は上記課題を解決することを目的とする。
【課題を解決するための手段】
【０００５】
この発明は、上記目的を達成するために提案するものであり、長手方向の中間部において相互の間隔が拡幅するよう並設された二本の芯線部材と、上記二本の芯線の間に架張された膜状部材とを備え、上記拡幅されている部位に架張された膜状部材に情報を記載して表示できるように形成されるとともに、両端側を結束対象物に巻き回した状態で結束することを特徴とする結束具を提供するものである。
【０００６】
また、上記二本の芯線が拡幅部と狭幅部との境界で交互に交差している構造である結束具を提供するものである。
【発明の効果】
【０００７】
本発明の結束具は、二本の芯線の長手方向の中間部の幅が拡張されていて、この拡幅部に架張されている膜状部材に文字や図形などを記載することにより、結束具自体で各種情報を表示することが可能であり、従来の結束具とはことなり、結束具に表示タグなどを取付ける作業を要せず、商品に情報を表示する際の手間を削減できる。
【発明を実施するための最良の形態】
【０００８】
この発明の結束具は、長手方向の中間部において相互の間隔が拡幅するよう並設された
二本の芯線部材と、上記二本の芯線の間に架張された膜状部材とを備え、上記拡幅されている部位に架張された膜状部材に情報を記載して表示できるように形成することにより、両端側を結束対象物に巻き回した状態で結束すれば、結束対象物に各種の情報が表示され、紐状結束具自体に表示機能を持たせて、結束具に表示タグを取付ける作業を不要として生産性を向上するという目的を達成することができた。
【実施例１】
【０００９】
図１及び図２は複数の結束具を長手方向へ連続させて一体成形した結束具連続体1を示し、二本の芯線部材としての軟鉄の針金2，3を平行に並べて置き、これら二本の針金2，3の上下両面から膜状部材としての二枚のプラスチックフィルム4（PE、PET等の熱可塑性樹脂）で挟んでラミネートしたもので、長手方向に一定間隔で二本の針金2，3の間隔を広げた拡幅部5が形成されていて、二本の針金2，3が接近した狭幅部6と間隔を広げた拡幅部5とが交互に配置されている。そして、二本の針金2，3全体を覆うようにプラスチックフィルム4でラミネートすることにより、図２(b) に示すように、拡幅部5内にプラスチックフィルム4が膜状に張られた形状となっている。
【００１０】
拡幅部5は、文字情報や図形を記載できる面積があり、プラスチックフィルム4の拡幅部5に張られる部分に、例えば品名や店名、生産者名など任意の各種情報を予め、或いはラミネート後に印刷などにより記載することにより、結束機能と情報表示機能とを具備した結束具となる。
【００１１】
結束具連続体1は、二つの拡幅部5を結ぶ狭幅部6の中間（図１(a)に示すC位置）で切断して、図３に示すように、一個単位の結束具1aに分離して使用する。
【００１２】
尚、図４に示すように、結束具連続体1の二本の針金2，3の配置を変更して、狭幅部6と拡幅部5とが切り替わる箇所で二本の針金2，3を交互に交差させた構造としてもよい。
【００１３】
結束具1aの使用方法は、従来型の結束具と同じであり、図５に示すように、棒状の結束対象物7を束ね、結束具1aの拡幅部5の情報表示面が表面になるようにして結束対象物7に巻き回し、結束具1aの両端の狭幅部6を捩じり合わせれば、結束具1aの拡幅部5の情報表示面が表面に露出した状態で結束対象物7が結束される。結束対象物としては葱などの棒状野菜や苗木、その他の棒状物品、配線用電線などが挙げられる。
【００１４】
図６は、結束具1aによる結束作業を機械化する場合の結束装置の一例の解説図である。(a)に示す11は一次凹曲面の結束具受台であり、結束具受面は周方向に結束具と等しい幅の溝11aが形成されていて、この溝11a内に結束具1aを装填し、(b)に示すように、その上に結束対象物7の束を載せる。
【００１５】
結束具受台11の上方には捩じり装置が配置されていて、(c)に示す捩じり装置の一対の爪12は図示しない開閉機構の両端に取付けられており、開閉機構により(c)の初期位置と(d)の相互に接近して当接する位置とに開閉しつつ、爪自体12が上下方向へ回動される。また、開閉機構及び一対の爪12は、開閉機構の中心を軸にして回転駆動される。
【００１６】
(b)のように結束具受台11の上に結束対象物7の束を載せることにより、図示しないスイッチ或いはセンサがオンして、捩じり装置の一対の爪が上方から結束具の両端部へ向かって移動し、結束具1aの両端を引っ掛け、爪12の先端部が上方向へ回動しつつ相互に接近して、最終的に爪12の先端面が当接する。これにより結束具1aの両端部は、(d)に示すように一対の爪12の先端面により挟圧される。
【００１７】
そして、結束具挟圧状態で、前述した開閉機構の中心を軸にして一対の爪12は回転駆動
され、結束具1aの両端部が捻り合わされて結束対象物7が結束される。一対の爪12の回転数が所定数に達して結束が完了すると一対の爪12は開いて初期位置へ戻り、結束具受台11から結束対象物7を取外すことができる。
【００１８】
上記の捩じり装置における結束具1aの閉じ動作及び捩じり動作は、従来の結束具を用いる結束装置などによって公知のものであり、本発明の結束具を用いる結束装置は、結束具受台等の構成以外の部分は、従来技術を踏襲して容易に構成することができ、結束作業の機械化にも容易に対応できるものである。
【００１９】
尚、この発明は上記の実施形態に限定するものではなく、この発明の技術的範囲内において種々の改変が可能であり、この発明がそれらの改変されたものに及ぶことは当然である。例えば、上述した実施例において、芯線に針金を用いた例を示したが、プラスチック素材や繊維からなる紐状部材を用いてもよい。尚、芯線に針金素材を用いる場合は、針金素材の塑性変形を利用できて捩じり合せが容易に行える利点がある。また、結束具の拡幅部への情報表示は印刷に限らず、印字や打刻、刻印など情報を読取り可能な方法で記載されていればよい。さらに、二本の芯線のうち、一方の芯線を略一直線状に配設し、他方の芯線を一方の芯線に対して近接、離反するよう配置してもよい。
【図面の簡単な説明】
【００２０】
【図１】本発明の実施の一形態を示し、(a) は結束具連続体の平面図、(b) は結束具連続体の斜視図である。
【図２】(a) は図１のA-A線矢視断面図、(b) は図1のB-B線矢視断面図。
【図３】一個単位に切断した結束具の斜視図。
【図４】結束具の他の実施例を示す平面図。
【図５】図3の結束具で棒状物品を結束した状態の斜視図。
【図６】(a) (b) (c) (d) は、本発明の結束具を用いて結束装置により棒状物品を結束する工程の解説図である。
【符号の説明】
【００２１】
1      結束具連続体
1a     結束具
2    針金
3      針金
4      プラスチックフィルム
5      拡幅部
6      狭幅部
7      結束対象物
11     結束具受台
12     爪
【図１】
2008074462.tif 000003
【図２】
2008074462.tif 000004
【図３】
2008074462.tif 000005
【図４】
2008074462.tif 000006
【図５】
2008074462.tif 000007
【図６】
2008074462.tif 000008